(57)【要約】【課題】開閉するカバーハウジングの開閉軸が変位しないような構造のＦＰＣ用コネクタを提供する。【解決手段】ハウジング２はＦＰＣ１が挿入される開口部２０を形成する上面開放凹部２１を有し、複数のコンタクト３を上面開放凹部２１に配列する。カバーハウジング４はハウジング２に連結する開閉軸４１を有し、カバーハウジング４が開くとＦＰＣ１は開口部２０に挿入可能となる。カバーハウジング４が閉じるとＦＰＣ１を押圧してコンタクト３と当接させる。コンタクト３は、第１アーム３１における接点３１ＡがＦＰＣ１と弾性接触する。第２アーム３２は、開閉軸４１を回転可能に支持する枢止部３２Ａを備える。第２アーム３２は開閉軸４１を変位させないように断面２次モーメントの大きい剛性腕となっている。複数の板ばね５はカバーハウジング４の開姿勢を維持する。【選択図】        図１
2005158508.tif 000002
【特許請求の範囲】
【請求項１】
ＦＰＣが挿入される開口部を有しており、当該開口部に配列されている複数のコンタクトと前記ＦＰＣとが電気的に接続するＦＰＣ用コネクタであって、
前記ＦＰＣが載置される上面開放凹部は前記開口部を部分形成しており、当該上面開放凹部の延長上に前記ＦＰＣの挿入端部が当接される差込口が形成されている絶縁性のハウジングと、
前記ハウジングに連結する開閉軸を有しているカバーハウジングであって、当該カバーハウジングが開くことにより前記ＦＰＣは前記差込口に挿入可能となり、当該カバーハウジングが閉じることにより前記差込口に挿入された前記ＦＰＣを押圧して前記複数のコンタクトに当接させる絶縁性のカバーハウジングと、を備えており、
水平脚と第１アームと第２アームとで構成されている前記コンタクトは前記上面開放凹部側から前記ハウジングに圧入されており、
前記第１アームは、前記水平脚の一方の端部から立脚分岐して更に前記開口部の入口から前記差込口に向けて延出分岐しており、当該第１アームにおける前記延出端部は前記上面開放凹部の底面から突出して前記ＦＰＣと弾性接触する接点を備えており、
前記第２アームは、前記水平脚の他方の端部から立脚分岐して更に前記第１アームにおける前記接点に向けて延出分岐しており、当該第２アームにおける前記延出端部は前記接点に対向配置されている前記開閉軸を回転可能に支持する枢止部を備えており、
端部となる前記枢止部に荷重が作用する片持梁となる前記第２アームは、前記開閉軸を変位させないように断面２次モーメントの大きい剛性腕となっていることを特徴とするＦＰＣ用コネクタ。
【請求項２】
前記複数のコンタクトと交互に前記ハウジングに配列されている複数の板ばねを更に備えており、
前記板ばねは圧入アームと弾性アームが対向するように端部が連結されて二股に構成されており、
前記圧入アームは前記上面開放凹部の反対側から前記ハウジングに圧入されており、
前記弾性アームの先端部は前記開閉軸の軸中心に向けて延出しており、
当該弾性アームの先端部と係止される前記開閉軸の軸周囲は前記開閉軸の軸中心を平面に含む水平壁と当該水平壁に隣接すると共に直交する垂直壁とが形成されており、
前記カバーハウジングが開かれているときは前記水平壁に当接する前記弾性アームの先端部は前記垂直壁を付勢して当該カバーハウジングの開状態が維持されていることを特徴とする請求項１記載のＦＰＣ用コネクタ。
【請求項３】
前記コンタクトは前記開口部の入口から前記ＦＰＣの反挿入方向に第１リード部が延出しており、当該第１リード部の底面がプリント基板に接合されていることを特徴とする請求項１又は２のいずれかに記載のＦＰＣ用コネクタ。
【請求項４】
前記板ばねは前記開口部の反対側から前記ＦＰＣの挿入方向に第２リード部が延出しており、当該第２リード部の底面がプリント基板に接合されていることを特徴とする請求項２又は３のいずれかに記載のＦＰＣ用コネクタ。
【請求項５】
前記ＦＰＣの挿入端部が当接される差込口の輪郭を囲むように前記コンタクトにおける他方の端部で対向している前記水平脚と前記第２アームとでＵの字状の溝が形成されていることを特徴とする請求項１から４のいずれかに記載のＦＰＣ用コネクタ。
【請求項６】
前記差込口に前記ＦＰＣが挿入されて前記カバーハウジングが閉じられているときは前記水平壁に当接している前記弾性アームの先端部は当該水平壁から離間し、前記弾性アームの先端部に下設されている突起に当該ＦＰＣが押圧されることを特徴とする請求項２から５のいずれかに記載のＦＰＣ用コネクタ。
【請求項７】
前記カバーハウジングの両翼に相反するように突出する一対のディテントを備えており、前記ハウジングは当該カバーハウジングが閉じられて格納される凹部を有しており、当該凹部において対向する内壁側面に前記一対のディテントと嵌合される一対のインデントを形成しており、前記一対のディテントと前記一対のインデントとが噛み合うことにより当該カバーハウジングは閉じられた状態にロックされることを特徴とする請求項２から６のいずれかに記載のＦＰＣ用コネクタ。
【請求項８】
前記カバーハウジングの両翼に相反するように配置されており前記開閉軸と同軸となる一対の円柱突起と、
前記一対の円柱突起を回転可能に下方から支持しており前記カバーハウジングの両翼に相反して配置されるように前記ハウジングに圧入されている一対の支持部材と、を更に備えており、
前記第２アームにおける枢止部は半円弧溝が形成されて、当該半円弧溝が前記開閉軸を回転可能に上方から支持しており、
前記一対の支持部材は前記ＦＰＣの挿入方向から前記前記ハウジングに圧入され、当該一対の支持部材は、前記半円弧溝を有する枢止部に前記開閉軸が係止するように前記一対の円柱突起を下方から上方に移動させる傾斜面が形成されていることを特徴とする請求項７記載のＦＰＣ用コネクタ。
【請求項９】
プリント基板に表面実装されることを特徴とする請求項１から８のいずれかに記載のＦＰＣ用コネクタ。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）等の平形柔軟ケーブルと接続するコネクタに関する。本明細書は平形柔軟ケーブルを総称してＦＰＣと呼称することとし、本発明は、特に、ＦＰＣの挿抜時にほとんど力を必要としない、いわゆるＺＩＦ（Ｚｅｒｏ  Ｉｎｓｅｒｔｉｏｎ  Ｆｏｒｃｅ）タイプのＦＰＣ用コネクタに関する。
【背景技術】
【０００２】
近年の電子機器、例えば、ＤＶＣ（Ｄｉｇｉｔａｌ  Ｖｉｄｅｏ  Ｃａｍｅｒａ）や携帯電話機とＰＤＡ（Ｐｅｒｓｏｎａｌ  Ｄｉｇｉｔａｌ  Ａｓｓｉｓｔａｎｃｅ）に代表される携帯型情報機器に実装される電子部品モジュールやプリント基板間を接続するには、平型柔軟ケーブルであるＦＰＣが使用されている。
【０００３】
プリント基板に表面実装されるＦＰＣ用コネクタ、いわゆる表面実装型のＦＰＣ用コネクタは、ＦＰＣが挿入される挿入部が形成されている絶縁性のハウジングと、このハウジングに所定のピッチで横並びに装着された複数のコンタクトを備えている。そして、ＦＰＣとこのコンタクトとを当接させるために、例えば、開閉するカバーハウジングが開口部に備えられている。
【０００４】
プリント基板に表面実装されるＦＰＣ用コネクタは実装密度を上げるべく、実装高さを低くすること（低背化）が求められており、この表面実装型のＦＰＣ用コネクタに配列されるコンタクトも多ピン化、狭ピッチ化が進行している。
【０００５】
このような表面実装型のＦＰＣ用コネクタとして、ＦＰＣと接触する接触脚とこの接触脚に対応するスタビライザ脚（水平脚）とを有する複数のコンタクトを、互いに平行に整列する第１のコンタクト群と第２のコンタクト群とから構成するＦＰＣ用コネクタが開示されている（例えば、特許文献１参照）。
【０００６】
特許文献１によるＦＰＣ用コネクタは、開閉するアクチュエータ（以下、カバーハウジングという）に第１のコンタクト群のスタビライザ脚に係合するカム部と、第２のコンタクト群のスタビライザ脚に係合する被押圧部とを設けている。
【０００７】
そして、このカバーハウジングの開閉軸の周囲に形成されるカム部は、当該カバーハウジングが閉じられた状態から開く状態に開閉軸が回動するときに、第１のコンタクト群のスタビライザ脚は対応する接触脚との間隔を広げるように弾性変形される。
【０００８】
一方、被押圧部は、当該カバーハウジングが閉じられた状態から開く状態に開閉軸が回動するときに、第２のコンタクト群のスタビライザ脚は、第１のコンタクト群のスタビライザ脚がカバーハウジングに与える力と反対方向の力を受けるように形成されている。
【０００９】
特許文献１によるＦＰＣ用コネクタは、カバーハウジングを回動させてＦＰＣの挿入部を開くと、第１のコンタクト群のスタビライザ脚が弾性変形させ、当該スタビライザ脚に備わるＦＰＣ押さえ部と接触脚との間隔を広げる。そして、ＺＩＦ作用を損なうことなく、カバーハウジングの変形を防止又は抑制できるとしている。
【００１０】
又、特許文献１によるＦＰＣ用コネクタは、カバーハウジングを閉じた状態では、第１のコンタクト群と第２のコンタクト群により、カバーハウジングに有害な変形を与える力は加わらないとしている。
【００１１】
又、このような表面実装型のＦＰＣ用コネクタとして、絶縁性のハウジングと、このハウジングに装着された複数のコンタクトと、回動可能に設けられたカバーハウジングとを備えているＦＰＣ用コネクタが開示されている（例えば、特許文献２参照）。
【００１２】
特許文献２によるＦＰＣ用コネクタにおいては、コンタクトは、ＦＰＣの挿入部に延びるコンタクトビームと、枢支ビームとを有しており、この枢支ビームの先端部下縁に切欠部が形成されてカバーハウジングの枢支部を構成している。
【００１３】
更に、特許文献２によるＦＰＣ用コネクタにおいては、カバーハウジングは、各コンタクトの枢支部に対応させて貫通孔が形成され、この貫通孔の孔縁部を断面略円形の軸部とされて枢支部に係合している。そして、隣り合う軸部の間に加圧用突部が設けられ、この加圧用突部でＦＰＣをコンタクトの接点へ向けて押圧するようにしてある。
【００１４】
このような特許文献２によるＦＰＣ用コネクタにおいては、カバーハウジングはハウジングへの組み付けが容易であり、しかも、組み付け時にコンタクトの接点を傷付けるおそれのない構造としている。
【００１５】
【特許文献１】特開２００２−３２９５３６号公報
【特許文献２】特開２００３−１５１６６０号公報
【発明の開示】
【発明が解決しようとする課題】
【００１６】
図１０は、特許文献１によるＦＰＣ用コネクタ７の断面図であり、特許文献１における図３に対応している。図１０において、ハウジング７０はＦＰＣ１が挿入される挿入部７０Ａを有しており、第１のコンタクト７１における接触脚７１Ａは挿入部７０Ａ側からハウジング７０に圧入されている。なお、接触脚７１Ａの端部は、ハウジング７０から延出してプリント基板９にはんだ接合されるリード部を形成している。
【００１７】
図１０に示されるように、接触脚７１Ａにおける延出端部はＵの字状に反転分岐して、挿入部７０Ａ側に延出するスタビライザ脚７１Ｂを形成している。そして、スタビライザ脚７１Ｂの端部は、カバーハウジング７３の開閉軸の周囲に形成されたカム部７３Ａに係合している。
【００１８】
図１１は、特許文献１によるＦＰＣ用コネクタ７の断面図であり、特許文献１における図４に対応している。図１１において、第２のコンタクト７２は、接触脚７２Ａとスタビライザ脚７２Ｂとが対向しており、端部が連結する二股コンタクトとなっている。
【００１９】
図１１に示されるように、第２のコンタクト７２におけるスタビライザ脚７２Ｂは、挿入部７０Ａの反対側からハウジング７０に圧入されている。そして、スタビライザ脚７２Ｂの端部はハウジング７０から延出する自由端となっており、この自由端がカバーハウジング７３の開閉軸の周囲に形成された被押圧部７３Ｂと係合している。なお、接触脚７２Ａの端部は、ハウジング７０から延出してプリント基板９（図１０参照）にはんだ接合されるリード部を形成している。
【００２０】
表面実装型のＦＰＣ用コネクタに配列されるコンタクトは多ピン化、狭ピッチ化が進行しており、図１０又は図１１に示されたコンタクト７１及び７２は板厚の薄い板ばねとなっている。更に、表面実装型のＦＰＣ用コネクタは低背化が進行しており、例えば、図１１に示されたスタビライザ脚７２Ｂの固定端を保持するハウジング７０の極間壁Ｃが薄いものとなっている。
【００２１】
図１０において、カバーハウジング７３を開くと、カバーハウジング７３の開閉軸の周囲に形成された偏心カムとなるカム部７３Ａが回転して、スタビライザ脚７１Ｂの端部は上方に変位される。つまり、図１０に示されるように、カバーハウジング７３の開閉軸にはカム部７３Ａの回転により上向きの力Ｒが働く。
【００２２】
一方、図１０に示されるように、カバーハウジング７３の開閉軸にはスタビライザ脚７１Ｂの端部が復帰しようとする反力Ｓが働く。そして、図１１に示されるように、この反力Ｓは、カバーハウジング７３の開閉軸と同軸となる被押圧部７３Ｂがスタビライザ脚７２Ｂの端部を下向きに付勢する力として作用する。
【００２３】
すなわち、カバーハウジング７３を開こうとすると、プリント基板９（図１０参照）にはんだ接合されるリード部（接触脚７２Ａの端部となるリード部）を支点として、スタビライザ脚７２Ｂは、反時計方向に曲げモーメントが作用する。
【００２４】
前述のように、スタビライザ脚７２Ｂの固定端を保持するハウジング７０の極間壁Ｃは薄いものとなっているので、第２のコンタクト７２が圧入されている極間壁Ｃは、座屈するように応力が作用し、破損しやすいものとなっている。
【００２５】
コンタクトは多ピン、狭ピッチであり、低背のＺＩＦ型のＦＰＣ用コネクタにおいて、開閉するカバーハウジングの開閉軸が変位しないような構造のＺＩＦ型のＦＰＣ用コネクタが求められている。
【００２６】
図１２は、特許文献２によるＦＰＣ用コネクタ８の断面図であり、特許文献２における図３に対応している。図１２において、ハウジング８０はＦＰＣ１が挿入される挿入部８０Ａを有しており、端子（以下、コンタクトという）８１におけるコンタクトビーム８１Ａと枢支ビーム８１Ｂは、挿入部８０Ａの反対側からハウジング８０に圧入されている。なお、コンタクトビーム８１Ａの端部は、ハウジング８０から延出して図示されないプリント基板にはんだ接合されるリード部を形成している。
【００２７】
図１２はカバーハウジング８３が開いた状態図である。この図１２に示されるように、枢支ビーム８１Ｂの先端部下縁に切欠部８１１が形成されている。そして、カバーハウジング８３の開閉軸となる軸部８３Ａを開閉自在に支持する枢支部８１２は、この切欠部８１１内に構成されている。又、軸部８３Ａの回りは貫通孔８３１が設けられている。
【００２８】
図１３は、特許文献２によるＦＰＣ用コネクタ８の断面図であり、特許文献２における図４に対応している。図１３はカバーハウジング８３が閉じた状態図である。この図１３に示されるように、カバーハウジング８３の下壁に形成された加圧用突起８３２はＦＰＣ１を押圧している。
【００２９】
特許文献２によるＦＰＣ用コネクタ８は、カバーハウジング８３に形成される貫通孔８３１の開口寸法Ａを、コンタクト８１の枢支部８１２の高さ方向寸法Ｂよりも小さくすることで、カバーハウジング８３の開閉の際に、カバーハウジング８３が枢支部８１２から外れないようにできるとしている。この結果、ＦＰＣの接続作業を確実にできるＦＰＣ用コネクタとすることができるとしている。
【００３０】
表面実装型のＦＰＣ用コネクタに配列されるコンタクトは多ピン化、狭ピッチ化が進行おり、図１２又は図１３に示されたコンタクト８１は板厚の薄い板ばねとなっている。更に、表面実装型のＦＰＣ用コネクタは低背化が進行しており、例えば、図１２に示された枢支ビーム８１Ｂの固定端を保持するハウジング８０の肉厚は薄いものとなっている。
【００３１】
図１２又は図１３に示されたＦＰＣ用コネクタ８は、コンタクト８１がハウジング８０に一列に配置されており、ＦＰＣ用コネクタ８にＦＰＣ１が挿入されてカバーハウジング８３が閉じられた状態においては、片持ち梁となる枢支ビーム８１Ｂは反時計方向に曲げモーメントが作用する。
【００３２】
しかしながら、図１２又は図１３に示されたような形状となる片持ち梁となる枢支ビーム８１Ｂは、板厚も薄くなり低背化すると、前記曲げモーメントに対抗できるような断面２次モーメントの大きい剛性腕とはならない。
【００３３】
つまり、等分布荷重を受ける片持ち梁となる枢支ビーム８１Ｂは、上方に撓むという懸念が払拭できないものとなる。このことは、例えば、ＦＰＣとコンタクトとの接触不良の要因となる。
【００３４】
コンタクトは多ピン、狭ピッチであり、低背のＦＰＣ用コネクタにおいて、開閉するカバーハウジングの開閉軸が変位しないような構造のＦＰＣ用コネクタが求められている。
【００３５】
本発明は、このような問題に鑑み、コンタクトは多ピン、狭ピッチであり、低背のＦＰＣ用コネクタにおいて、開閉するカバーハウジングの開閉軸が変位しないような構造のＦＰＣ用コネクタを提供することを目的とする。
【課題を解決するための手段】
【００３６】
発明者は、上記目的を満たすため、カバーハウジングの開閉軸を変位させないように断面２次モーメントの大きい剛性腕を有するコンタクトを備える構造とし、以下のような新たなＦＰＣ用コネクタを発明した。
【００３７】
（１）  ＦＰＣが挿入される開口部を有しており、当該開口部に配列されている複数のコンタクトと前記ＦＰＣとが電気的に接続するＦＰＣ用コネクタであって、前記ＦＰＣが載置される上面開放凹部は前記開口部を部分形成しており、当該上面開放凹部の延長上に前記ＦＰＣの挿入端部が当接される差込口が形成されている絶縁性のハウジングと、前記ハウジングに連結する開閉軸を有しているカバーハウジングであって、当該カバーハウジングが開くことにより前記ＦＰＣは前記差込口に挿入可能となり、当該カバーハウジングが閉じることにより前記差込口に挿入された前記ＦＰＣを押圧して前記複数のコンタクトに当接させる絶縁性のカバーハウジングと、を備えており、水平脚と第１アームと第２アームとで構成されている前記コンタクトは前記上面開放凹部側から前記ハウジングに圧入されており、前記第１アームは、前記水平脚の一方の端部から立脚分岐して更に前記開口部の入口から前記差込口に向けて延出分岐しており、当該第１アームにおける前記延出端部は前記上面開放凹部の底面から突出して前記ＦＰＣと弾性接触する接点を備えており、前記第２アームは、前記水平脚の他方の端部から立脚分岐して更に前記第１アームにおける前記接点に向けて延出分岐しており、当該第２アームにおける前記延出端部は前記接点に対向配置されている前記開閉軸を回転可能に支持する枢止部を備えており、端部となる前記枢止部に荷重が作用する片持梁となる前記第２アームは、前記開閉軸を変位させないように断面２次モーメントの大きい剛性腕となっていることを特徴とするＦＰＣ用コネクタ。
【００３８】
（２）  前記複数のコンタクトと交互に前記ハウジングに配列されている複数の板ばねを更に備えており、前記板ばねは圧入アームと弾性アームが対向するように端部が連結されて二股に構成されており、前記圧入アームは前記上面開放凹部の反対側から前記ハウジングに圧入されており、前記弾性アームの先端部は前記開閉軸の軸中心に向けて延出しており、当該弾性アームの先端部と係止される前記開閉軸の軸周囲は前記開閉軸の軸中心を平面に含む水平壁と当該水平壁に隣接すると共に直交する垂直壁とが形成されており、前記カバーハウジングが開かれているときは前記水平壁に当接する前記弾性アームの先端部は前記垂直壁を付勢して当該カバーハウジングの開状態が維持されていることを特徴とする（１）記載のＦＰＣ用コネクタ。
【００３９】
（３）  前記コンタクトは前記開口部の入口から前記ＦＰＣの反挿入方向に第１リード部が延出しており、当該第１リード部の底面がプリント基板に接合されていることを特徴とする（１）又は（２）のいずれかに記載のＦＰＣ用コネクタ。
【００４０】
（４）  前記板ばねは前記開口部の反対側から前記ＦＰＣの挿入方向に第２リード部が延出しており、当該第２リード部の底面がプリント基板に接合されていることを特徴とする（２）又は（３）のいずれかに記載のＦＰＣ用コネクタ。
【００４１】
（５）  前記ＦＰＣの挿入端部が当接される差込口の輪郭を囲むように前記コンタクトにおける他方の端部で対向している前記水平脚と前記第２アームとでＵの字状の溝が形成されていることを特徴とする（１）から（４）のいずれかに記載のＦＰＣ用コネクタ。
【００４２】
（６）  前記差込口に前記ＦＰＣが挿入されて前記カバーハウジングが閉じられているときは前記水平壁に当接している前記弾性アームの先端部は当該水平壁から離間し、前記弾性アームの先端部に下設されている突起に当該ＦＰＣが押圧されることを特徴とする（２）から（５）のいずれかに記載のＦＰＣ用コネクタ。
【００４３】
（７）  前記カバーハウジングの両翼に相反するように突出する一対のディテントを備えており、前記ハウジングは当該カバーハウジングが閉じられて格納される凹部を有しており、当該凹部において対向する内壁側面に前記一対のディテントと嵌合される一対のインデントを形成しており、前記一対のディテントと前記一対のインデントとが噛み合うことにより当該カバーハウジングは閉じられた状態にロックされることを特徴とする（２）から（６）のいずれかに記載のＦＰＣ用コネクタ。
【００４４】
（８）  前記カバーハウジングの両翼に相反するように配置されており前記開閉軸と同軸となる一対の円柱突起と、前記一対の円柱突起を回転可能に下方から支持しており前記カバーハウジングの両翼に相反して配置されるように前記ハウジングに圧入されている一対の支持部材と、を更に備えており、前記第２アームにおける枢止部は半円弧溝が形成されて、当該半円弧溝が前記開閉軸を回転可能に上方から支持しており、前記一対の支持部材は前記ＦＰＣの挿入方向から前記前記ハウジングに圧入され、当該一対の支持部材は、前記半円弧溝を有する枢止部に前記開閉軸が係止するように前記一対の円柱突起を下方から上方に移動させる傾斜面が形成されていることを特徴とする（７）記載のＦＰＣ用コネクタ。
【００４５】
（９）  プリント基板に表面実装されることを特徴とする（１）から（８）のいずれかに記載のＦＰＣ用コネクタ。
【００４６】
（１）記載の発明によれば、「ＦＰＣが挿入される開口部を有しており、当該開口部に配列されている複数のコンタクトと前記ＦＰＣとが電気的に接続するＦＰＣ用コネクタであって、前記ＦＰＣが載置される上面開放凹部は前記開口部を部分形成しており、当該上面開放凹部の延長上に前記ＦＰＣの挿入端部が当接される差込口が形成されている絶縁性のハウジングと、前記ハウジングに連結する開閉軸を有しているカバーハウジングであって、当該カバーハウジングが開くことにより前記ＦＰＣは前記差込口に挿入可能となり、当該カバーハウジングが閉じることにより前記差込口に挿入された前記ＦＰＣを押圧して前記複数のコンタクトに当接させる絶縁性のカバーハウジングと、を備えており、水平脚と第１アームと第２アームとで構成されている前記コンタクトは前記上面開放凹部側から前記ハウジングに圧入されており、前記第１アームは、前記水平脚の一方の端部から立脚分岐して更に前記開口部の入口から前記差込口に向けて延出分岐しており、当該第１アームにおける前記延出端部は前記上面開放凹部の底面から突出して前記ＦＰＣと弾性接触する接点を備えており、前記第２アームは、前記水平脚の他方の端部から立脚分岐して更に前記第１アームにおける前記接点に向けて延出分岐しており、当該第２アームにおける前記延出端部は前記接点に対向配置されている前記開閉軸を回転可能に支持する枢止部を備えており、端部となる前記枢止部に荷重が作用する片持梁となる前記第２アームは、前記開閉軸を変位させないように断面２次モーメントの大きい剛性腕となっている」ことを特徴としてよい。
【００４７】
上面開放凹部は対向する立設壁を有しており、この立設壁によって上面開放凹部に載置されるＦＰＣの幅方向が規制される。差込口は該薄直方体に形成されており、カバーハウジングが開かれた状態においてＦＰＣはこの差込口に鋭角に挿入される。そして、このＦＰＣ用コネクタは、ＦＰＣを差込口に挿抜するときにほとんど力を必要としないＺＩＦコネクタを構成している。
【００４８】
ハウジングには、上面開放凹部から差込口、更に後方まで貫通する縦長の矩形溝が櫛の歯状に複数形成されており、上面開放凹部側からこの縦長の矩形溝にコンタクトが圧入される。そして、第１アームにおける接点がこの上面開放凹部の底面から突出している。
【００４９】
前記縦長の矩形溝は、上面開放凹部の入口から一定距離は第１アームが撓むようにコンタクトの幅より僅かに広くなっている。そして、一定距離以降はコンタクトを幅方向に挟圧するようにコンタクトの幅より僅かに狭くなっている。ハウジングの後部（開口部の対向側）において、コンタクトの幅方向と上下方向とがハウジングに固着されていると言ってもよい。
【００５０】
好適な実施態様において、ＦＰＣの挿入端部が当接される差込口の輪郭を囲むようにコンタクトにおける他方の端部で対向している水平脚と第２アームとでＵの字状の溝が形成されている。当該コンタクトは前記Ｕの字状の溝を輪郭とする部分が幅広となっている。
【００５１】
端部となる枢止部に荷重が作用する片持梁となる第２アームは、矩形断面の板厚を「ｂ」とし、幅を「ｈ」とすれば、当該第２アームの断面２次モーメントＩはＩ＝ｂｈ３／１２の計算式で算出され、幅広の第２アームは断面２次モーメントを大きいものとする断面形状としている。
【００５２】
加えて、延出端部はハウジングからの延出距離を短くしており、荷重が作用する端部となる枢止部の撓み量を少ないものとしている。
【００５３】
このような構造を有するＦＰＣ用コネクタは、コンタクトは多ピン、狭ピッチであり、低背のＦＰＣ用コネクタにおいて、開閉するカバーハウジングの開閉軸が変位しないようにしている。このようなＦＰＣ用コネクタにあっては、開閉軸の変位によるコンタクトの接触不良を防止できる。
【００５４】
（２）記載の発明によれば、「（１）記載のＦＰＣ用コネクタにおいて、前記複数のコンタクトと交互に前記ハウジングに配列されている複数の板ばねを更に備えており、前記板ばねは圧入アームと弾性アームが対向するように端部が連結されて二股に構成されており、前記圧入アームは前記上面開放凹部の反対側から前記ハウジングに圧入されており、前記弾性アームの先端部は前記開閉軸の軸中心に向けて延出しており、当該弾性アームの先端部と係止される前記開閉軸の軸周囲は前記開閉軸の軸中心を平面に含む水平壁と当該水平壁に隣接すると共に直交する垂直壁とが形成されており、前記カバーハウジングが開かれているときは前記水平壁に当接する前記弾性アームの先端部は前記垂直壁を付勢して当該カバーハウジングの開状態が維持されている」ことを特徴としてよい。
【００５５】
本発明によるＦＰＣ用コネクタは、カバーハウジングを回転支持すると共にＦＰＣと接触するコンタクトを備えており、カバーハウジングの開閉姿勢を維持するための従来のコンタクトに代えてカバーハウジングの開状態を維持する板ばねを更に備えたことを特徴としてよい。
【００５６】
ＦＰＣが挿入されていない状態においてカバーハウジングが閉じられているときは、この板ばねは、当該弾性アームの先端部が水平壁に当接している。カバーハウジングが開かれたときは、開閉軸の軸中心から離れた輪郭となる垂直壁が弾性アームの先端部を変位させる。そして、弾性アームの復帰力により当該弾性アームの先端部が垂直壁を付勢して、カバーハウジングの開状態が維持される。
【００５７】
一方、弾性アームの復帰力は、開閉軸を回転可能に支持する枢止部をカバーハウジングが押し下げる力となって作用する。しかしながら、枢止部に荷重が作用する片持梁となる前記第２アームは、開閉軸を変位させないように断面２次モーメントの大きい剛性腕となっているので当該枢止部は容易に変位しない。つまり、差込口に対向する第１アームにおける接点と第２アームにおける枢止部底壁との間隔は、一定距離に維持されてＦＰＣの挿入を妨げないものとなっている。
【００５８】
更に、弾性アームの固定端はハウジングに保持されておらず、弾性アームは変動自在にハウジングに内装されている。このような構造を有するＦＰＣ用コネクタにあっては、例えば、従来のようにスタビライザ脚の固定端を保持するハウジングの極間壁に座屈するように応力が作用し、破損しやすいということが防止できる。
【００５９】
好適な実施態様において、本発明によるＦＰＣ用コネクタは、「前記コンタクトは前記開口部の入口から前記ＦＰＣの反挿入方向に第１リード部が延出しており、当該第１リード部の底面がプリント基板に接合されている」ことを特徴としてよい。
【００６０】
好適な実施態様において、本発明によるＦＰＣ用コネクタは、「前記板ばねは前記開口部の反対側から前記ＦＰＣの挿入方向に第２リード部が延出しており、当該第２リード部の底面がプリント基板に接合されている」ことを特徴としてよい。
【００６１】
これら好適な実施態様のＦＰＣ用コネクタは、第１リード部と第２リード部がプリント基板にはんだ接合されることによって、このＦＰＣ用コネクタがプリント基板に強固に表面実装されるものである。
【００６２】
又、好適な実施態様において、本発明によるＦＰＣ用コネクタは、「前記差込口に前記ＦＰＣが挿入されて前記カバーハウジングが閉じられているときは前記水平壁に当接している前記弾性アームの先端部は当該水平壁から離間し、前記弾性アームの先端部に下設されている突起に当該ＦＰＣが押圧される」ことを特徴としてよい。
【００６３】
カバーハウジングが閉じられているときは、この突起はＦＰＣと弾性接触する接点の上方近傍に位置しており、この突起がＦＰＣを押圧してＦＰＣと接点の接触を確実なものとしている。
【００６４】
好適な実施態様において、本発明によるＦＰＣ用コネクタは、「前記カバーハウジングの両翼に相反するように突出する一対のディテントを備えており、前記ハウジングは当該カバーハウジングが閉じられて格納される凹部を有しており、当該凹部において対向する内壁側面に前記一対のディテントと嵌合される一対のインデントを形成しており、前記一対のディテントと前記一対のインデントとが噛み合うことにより当該カバーハウジングは閉じられた状態にロックされる」ことを特徴としてよい。
【００６５】
この一対のディテントは角錐体であってよく、半球状突起であってもよい。対応するインデントは角穴であってよく、円形穴であってもよい。この一対のディテントは、凹部において対向する内壁側面と滑りあった後に一対のインデントと噛み合う。一対のディテントが一対のインデントを乗り上げる強い力でカバーハウジングを引き上げることにより、ロックが解除される。
【００６６】
更に、好適な実施態様において、本発明によるＦＰＣ用コネクタは、「前記カバーハウジングの両翼に相反するように配置されており前記開閉軸と同軸となる一対の円柱突起と、前記一対の円柱突起を回転可能に下方から支持しており前記カバーハウジングの両翼に相反して配置されるように前記ハウジングに圧入されている一対の支持部材と、を更に備えており、前記第２アームにおける枢止部は半円弧溝が形成されて、当該半円弧溝が前記開閉軸を回転可能に上方から支持しており、前記一対の支持部材は前記ＦＰＣの挿入方向から前記前記ハウジングに圧入され、当該一対の支持部材は、前記半円弧溝を有する枢止部に前記開閉軸が係止するように前記一対の円柱突起を下方から上方に移動させる傾斜面が形成されている」ことを特徴としてよい。
【００６７】
この好適な実施態様によれば、カバーハウジングの組み付けに際し、一対の支持部材を圧入することにより、カバーハウジングの開閉軸か傾斜面に沿って上昇し、組み付けを容易とするものである。又、一対の支持部材がハウジングに組み立てられた状態においては、前記開閉軸は支持部材と枢止部とで全周囲が保持されており、このカバーハウジングが容易に外れないものとしている。
【発明の効果】
【００６８】
本発明のＦＰＣ用コネクタは、コンタクトは多ピン、狭ピッチであり、低背のＦＰＣ用コネクタにおいて、開閉するカバーハウジングの開閉軸を回転可能に支持する枢止部を有する第２アームは、前記開閉軸を変位させないように断面２次モーメントの大きい剛性腕としたので、第２アームと対向する第１アームが有する接点がＦＰＣと正しく確実に接触する。
【００６９】
又、本発明のＦＰＣ用コネクタは、第１アームと第２アームとを有するコンタクトとは別に、カバーハウジングの開姿勢を維持するための複数の板ばねを更に備えているので、カバーハウジングの開状態が維持されることにより、ＦＰＣの挿抜が容易となる。
【００７０】
又、カバーハウジングの開状態においては、複数の板ばねは開閉軸を変位させる力を作用させるが、開閉軸を変位させないように断面２次モーメントの大きい剛性腕となる第２アームを備えているので、差込口に対向する第１アームにおける接点と第２アームにおける枢止部底壁との間隔は、一定距離に維持されてＦＰＣの挿入を妨げない。
【００７１】
更に、弾性アームの固定端はハウジングに保持されておらず、弾性アームは変動自在にハウジングに内装されている。このような構造を有するＦＰＣ用コネクタにあっては、例えば、従来のようにスタビライザ脚の固定端を保持するハウジングの極間壁に座屈するように応力が作用し、破損しやすいということが防止できる。
【発明を実施するための最良の形態】
【００７２】
以下、図面を参照して本発明を実施するための最良の形態を説明する。
【００７３】
図１は、本発明によるＦＰＣ用コネクタ（以下、コネクタと略称する）の一実施形態を示す斜視外観図である。そして、図１は要部を断面としている。図１において、符号１はＦＰＣ、符号２はハウジングである。又、符号３はコンタクト、符号４はカバーハウジング、符号５は板ばねである。
【００７４】
図１はカバーハウジング４が閉じられた状態図であり、図１の実施形態において、コネクタ２００はＦＰＣ１が挿入される開口部２０を有している。この開口部２０に配列されている複数のコンタクト３とＦＰＣ１とが電気的に接続する。
【００７５】
図１の実施形態において、ハウジング２は絶縁性の合成樹脂で成形されている。ハウジング２は、ＦＰＣ１が載置される上面開放凹部２１を形成している。上面開放凹部２１は開口部２０を部分形成している。そして、上面開放凹部２１の延長上にＦＰＣ１の挿入端部が当接される差込口２２が形成されている。
【００７６】
図１の実施形態において、カバーハウジング４は絶縁性の合成樹脂で成形されている。カバーハウジング４はハウジング２に連結する開閉軸４１を有しており、カバーハウジング４が開くことにより、ＦＰＣ１は差込口２２に挿入可能となる。そして、カバーハウジング４が閉じることにより、差込口２２に挿入されたＦＰＣ１を押圧して、複数のコンタクト３に当接させる。
【００７７】
図１に示されるように、コンタクト３は水平脚３０と第１アーム３１と第２アーム３２とで構成されている。コンタクト３は、例えば、金属薄板を精密打ち抜き加工したものである。複数のコンタクト３は、上面開放凹部２１側からハウジング２に所定ピッチで圧入されている。
【００７８】
図１に示されるように、第１アーム３１は、水平脚３０の一方の端部から立脚分岐して更に開口部２０の入口から差込口２２に向けて延出分岐している。そして、第１アーム３１における延出分岐端部は、上面開放凹部２１の底面から突出してＦＰＣ１と弾性接触する接点３１Ａを備えている。
【００７９】
一方、第２アーム３２は、水平脚３０の他方の端部から立脚分岐して、更に第１アーム３１における接点３１Ａに向けて延出分岐している。第２アーム３２における延出分岐端部は、接点３１Ａに対向配置されている開閉軸４１を回転可能に支持する枢止部３２Ａを備えている。
【００８０】
図１の実施形態において、コンタクト３における第１アーム３１は、開口部２０の入口からＦＰＣ１の反挿入方向に第１リード部３１Ｌが延出している。そして、第１リード部３１Ｌの底面は図示されないプリント基板にはんだ接合される。
【００８１】
又、図１の実施形態において、ＦＰＣ１の挿入端部が当接される差込口２２の輪郭を囲むように、コンタクト３における他方の端部において対向している水平脚３０と第２アーム３２とでＵの字状の溝３Ｕが形成されている。
【００８２】
図１の実施形態において、コネクタ２００は、カバーハウジング４が開いた状態を維持するための複数の板ばね５を更に備えている。複数の板ばね５は複数のコンタクト３と交互にハウジング２に配列されている。
【００８３】
図１に示されるように、板ばね５は、圧入アーム５１と弾性アーム５２が対向するように端部が連結されて二股に構成されている。板ばね５は、例えば、金属薄板を精密打ち抜き加工したものである。圧入アーム５１は、上面開放凹部２１の反対側からハウジング２に所定ピッチで圧入されている。
【００８４】
図１に示されるように、弾性アーム５２の先端部５２Ａは開閉軸４１の軸中心に向けて延出している。又、板ばね５における弾性アーム５２の先端部５２Ａは、ＦＰＣ１を押圧する突起５２Ｂが下設されている。一方、弾性アーム５２の先端部５２Ａと係止される開閉軸４１の軸周囲は、開閉軸４１の軸中心を平面に含む水平壁４２Ａと、水平壁４２Ａに隣接すると共に直交する垂直壁４２Ｂとが形成されている。
【００８５】
図１の実施形態において、板ばね５は開口部２０の反対側からＦＰＣ１の挿入方向に第２リード部５１Ｌが延出している。そして、第２リード部５１Ｌの底面は図示されないプリント基板にはんだ接合される。
【００８６】
更に、図１の実施形態において、コネクタ２００は、カバーハウジング４の開閉軸４１の延長端を回転自在に保持する一対の支持部材６Ａ及び６Ｂを更に備えている。一対の支持部材６Ａ及び６Ｂは、カバーハウジング４の両翼に相反して配置されるようにハウジング２に圧入されている。
【００８７】
次に、図２により本発明によるコネクタ２００の構成を更に説明する。図２は図１に示されたコネクタ２００の平面図である。
【００８８】
図２の実施形態において、第１アーム３１における第１リード部３１Ｌは、ハウジング２の前方に突出している。同様に、圧入アーム５１における第２リード部５１Ｌは、ハウジング２の後方に突出している。第２リード部５１Ｌの底面は図示されないプリント基板にはんだ接合される。
【００８９】
図２の実施形態において、カバーハウジング４の後部中央は横長の矩形に切り欠かれており、更に、この切り欠きに櫛の歯状に複数の溝が形成されており、当該複数の溝に枢止部３２Ａと先端部５２Ａが交互に配列されている。なお、図２の実施形態において、図１に示された開閉軸４１と水平壁４２Ａは、それぞれ枢止部３２Ａと先端部５２Ａに覆われて図示されていない。
【００９０】
図２の実施形態において、一対の円柱突起４１Ａ及び４１Ｂは、カバーハウジング４の両翼に相反するように配置されている。そして、一対の円柱突起４１Ａ及び４１Ｂは、図１に示された開閉軸４１と同軸となっている。
【００９１】
次に、図３により本発明によるコネクタ２００の構成を更に説明する。図３は図１に示されたコネクタ２００の正面図である。
【００９２】
図３の実施形態において、ハウジング２には、縦長の矩形溝２４が櫛の歯状に複数形成されている。そして、縦長の矩形溝２４は、図１に最もよく示されているように、上面開放凹部２１から差込口２２、更に後方まで貫通している。上面開放凹部２１側からこの縦長の矩形溝２４に複数のコンタクト３が圧入されている。
【００９３】
図３の実施形態において、カバーハウジング４の両翼に相反して配置されるように、一対の支持部材６Ａ及び６Ｂがハウジング２に圧入されている。なお、支持部材６Ａと支持部材６Ｂとは同じものであるが、配置が判るように便宜上、支持部材６Ａと支持部材６Ｂに区別した。
【００９４】
図３の実施形態に示されるように、一対のディテント４３Ａ及び４３Ｂは、カバーハウジング４の両翼に相反するように突出している。ハウジング２は、カバーハウジング４が閉じられて格納される凹部２３を有している。
【００９５】
一対のディテント４３Ａ及び４３Ｂと嵌合される一対のインデント２３Ａ及び２３Ｂが、この凹部２３において対向する内壁側面に形成されている。一対のディテント４３Ａ及び４３Ｂと、一対のインデント２３Ａ及び２３Ｂとが噛み合うことにより、カバーハウジング４は閉じられた状態にロックされる。
【００９６】
次に、図面を参照して本発明によるコネクタの作用を説明する。
【００９７】
図４は、図１においてコンタクト３の側面を断面とする縦断面図である。図４はカバーハウジング４が閉じられた状態図である。開口部２０に挿入されたＦＰＣ１（図１参照）は、カバーハウジング４の底壁に押圧されて、第１アーム３１における接点３１Ａと弾性接触する。なお、図４においては、断面構成を明確にするためにＦＰＣ１を図示していない。
【００９８】
図４の実施形態に示されるように、ＦＰＣ１（図１参照）の挿入端部が当接される差込口２２の輪郭を囲むように、コンタクト３における他方の端部で対向している水平脚３０と第２アーム３２とでＵの字状の溝３Ｕが形成されている。そして、コンタクト３はＵの字状の溝３Ｕを輪郭とする部分が幅広となっている。
【００９９】
図４において、開閉軸４１及び開閉軸４１と連結している枢止部３２Ａは、ＦＰＣ１（図１参照）を介して、第１アーム３１における接点３１Ａからの反力Ｐが作用している。第２アーム３２は、端部となる枢止部３２Ａに荷重が作用する片持梁となっている。
【０１００】
片持梁となる第２アーム３２は、その矩形断面の板厚を「ｂ」とし、幅を「ｈ」とすれば、当該第２アーム３２の断面２次モーメントＩはＩ＝ｂｈ３／１２の計算式で算出される。図４において、幅広の第２アーム３２は断面２次モーメントを大きいものとする断面形状としている。
【０１０１】
加えて、第２アーム３２における延出端部はハウジング２からの延出距離を短くしており、荷重が作用する端部となる枢止部３２Ａの撓み量を少ないものとしている。更には、固定端となる応力集中部分を円弧形状とし、枢止部３２Ａの撓み量を少ないものとしている。つまり、第２アーム３２は、開閉軸４１を変位させないように断面２次モーメントの大きい剛性腕となっている。
【０１０２】
このような構造を有するＦＰＣ用コネクタは、コンタクトは多ピン、狭ピッチであり、低背のＦＰＣ用コネクタにおいて、開閉するカバーハウジングの開閉軸が変位しないようにしている。このようなＦＰＣ用コネクタにあっては、開閉軸の変位によるコンタクトの接触不良を防止できる。
【０１０３】
次に、図５は、図１において板ばね５の側面を断面とする縦断面図である。図５はカバーハウジング４が閉じられた状態図である。なお、図５は、開口部２０にＦＰＣ１（図１参照）が挿入されていない状態を示している。
【０１０４】
図５の実施形態において、圧入アーム５１は、ハウジング２の後部から圧入されて固着されている。弾性アーム５２は、圧入アーム５１の後部から隆起して、更に開閉軸４１（図４参照）の軸中心Ｑに向けて延出している。そして、図５に示されるように、板ばね５における弾性アーム５２の先端部５２Ａは、ＦＰＣ１（図１参照）を押圧する突起５２Ｂが下設されている。
【０１０５】
一方、弾性アーム５２の先端部５２Ａと係止される開閉軸４１の軸周囲は、開閉軸４１の軸中心Ｑを平面に含む水平壁４２Ａと、水平壁４２Ａに隣接すると共に直交する垂直壁４２Ｂとが形成されている。
【０１０６】
図５の実施形態においては、カバーハウジング４が閉じられているときは、弾性アーム５２の先端部５２Ａは水平壁４２Ａに当接している。ＦＰＣ１（図１参照）が開口部２０に挿入されている状態においては、弾性アーム５２の先端部５２Ａは水平壁４２Ａから離間し、弾性アーム５２の先端部５２Ａに下設されている複数の突起５２Ｂは、ＦＰＣ１を付勢する。
【０１０７】
次に、図６は、図１において支持部材６Ｂの側面を断面とする縦断面図である。図６はカバーハウジング４が閉じられた状態図である。
【０１０８】
図６の実施形態に示されるように、支持部材６Ｂの上縁は、背の低い平坦面６１が形成されており、背の低い平坦面６１に連続して傾斜面６２が形成されており、傾斜面６２に連続して背の高い平坦面が形成された後に、円柱突起４１Ｂと回転連結する円弧面６３が形成されている。
【０１０９】
このような形状を有する一対の支持部材６Ａ及び６Ｂ（図３参照）における背の低い平坦面６１に、一対の円柱突起４１Ａ及び４１Ｂ（図２参照）が載置されて、一対の支持部材６Ａ及び６Ｂはハウジング２に仮挿入される。
【０１１０】
更に、一対の支持部材６Ａ及び６Ｂをハウジング２に挿入（圧入）すると、一対の円柱突起４１Ａ及び４１Ｂはハウジング２に当接し、一対の円柱突起４１Ａ及び４１Ｂは傾斜面６２に倣ってその軸中心Ｑは上昇していく。
【０１１１】
一対の支持部材６Ａ及び６Ｂがハウジング２に完全に挿入（圧入）された段階においては、軸中心Ｑに形成された開閉軸４１（図４参照）は、半円弧溝が形成されている枢止部３２Ａによって上方から回転可能に支持される。
【０１１２】
一方、軸中心Ｑに形成された一対の円柱突起４１Ａ及び４１Ｂは、一対の支持部材６Ａ及び６Ｂに形成された円弧面６３によって下方から回転可能に支持される。
【０１１３】
このように、カバーハウジングの組み付けに際し、一対の支持部材を圧入することにより、カバーハウジングの開閉軸か傾斜面に沿って上昇し、組み付けを容易とするものである。又、一対の支持部材がハウジングに組立られた状態においては、開閉軸は支持部材と枢止部とで全周囲が保持されており、このカバーハウジングが容易に外れないものとしている。
【０１１４】
次に、図７は、本発明によるコネクタ２００におけるカバーハウジング４が９０度開いた状態での斜視外観図である。そして、図７は要部を断面としている。
【０１１５】
図７の実施形態に示されるように、上面開放凹部２１は対向する立設壁２１Ａ及び２１Ｂを有している。この立設壁２１Ａ及び２１Ｂによって上面開放凹部２１に載置されるＦＰＣ１の幅方向が規制される。
【０１１６】
図７に最もよく示されているように、カバーハウジング４の片翼に突出しているディテント４３Ｂは、四角錐体に形成されている。カバーハウジング４の片翼に突出しているディテント４３Ａは、図示されてはいないが四角錐体に形成されている。
【０１１７】
一方、図７に最もよく示されているように、凹部２３の内壁に形成されたインデント２３Ａは四角錐体のディテント４３Ａに嵌合するように角穴となる切り欠き溝となっている。インデント２３Ｂも、四角錐体のディテント４３Ｂと嵌合するように角穴となる切り欠き溝となっている。
【０１１８】
図７の実施形態において、この一対のディテント４３Ａ及び４３Ｂは、凹部２３において対向する内壁側面と滑りあった後に一対のインデント２３Ａ及び２３Ｂと噛み合う。一対のディテント４３Ａ及び４３Ｂが一対のインデント２３Ａ及び２３Ｂを乗り上げる強い力でカバーハウジング４を引き上げることにより、ロックが解除される。
【０１１９】
図８は、図７においてコンタクト３の側面を断面とする縦断面図である。図８は、図７の状態から更にカバーハウジング４が開いた状態図である。
【０１２０】
図８の実施形態に示されるように、カバーハウジング４はハウジング２に当接してこれ以上は開かない。又、後述するように図８の開状態は維持される。図８においては、ＦＰＣ１は差込口２２に鋭角に挿入される。
【０１２１】
図８の実施形態に示されるように、ＦＰＣ１は、接点３１Ａと枢止部３２Ａとの十分な間隙に挿入される。すなわち、コネクタ２００は、ＦＰＣ１を差込口２２に挿抜するときにほとんど力を必要としないＺＩＦコネクタを構成している。
【０１２２】
図９は、図７において板ばね５の側面を断面とする縦断面図である。図９は、図７の状態から更にカバーハウジング４が開いた状態図である。
【０１２３】
図９に示されるように、カバーハウジング４が開かれているときは、弾性アーム５２の先端部５２Ａが垂直壁４２Ｂを付勢して開状態が維持されている。このような板ばね５を有するコネクタ２００は、カバーハウジング４の開状態が維持されることにより、ＦＰＣ１の挿抜が容易となる。
【０１２４】
図９において、カバーハウジング４が開かれたときは、開閉軸４１（図８参照）の軸中心Ｑから離れた輪郭となる垂直壁４２Ｂが、弾性アーム５２の先端部５２Ａを上方に変位させる。そして、弾性アーム５２の復帰力により当該弾性アーム５２の先端部５２Ａが垂直壁４２Ｂを付勢して、軸中心Ｑを押し下げる力Ｔが作用する。
【０１２５】
軸中心Ｑを押し下げる力Ｔは、図８に示されるように、カバーハウジング４に形成された斜壁４４が枢止部３２Ａを押し下げる力Ｔとなって作用する。しかしながら、枢止部３２Ａに荷重が作用する片持梁となる第２アーム３２は、開閉軸４１を変位させないように断面２次モーメントの大きい剛性腕となっているので枢止部３２Ａは容易に変位しない。
【０１２６】
このように、図８に示されている差込口２２に対向する第１アーム３１における接点３１Ａと、第２アーム３２における枢止部３２Ａ底壁との間隔は、一定距離に維持されてＦＰＣ１の挿入を妨げないものとなっている。
【０１２７】
更に、図９に示されるように、弾性アーム５２の固定端はハウジング２に保持されておらず、弾性アーム５２は変動自在にハウジング２に内装されている。このような構造を有するＦＰＣ用コネクタにあっては、例えば、従来のようにスタビライザ脚の固定端を保持するハウジングの極間壁に座屈するように応力が作用し、破損しやすいということが防止できる。
【図面の簡単な説明】
【０１２８】
【図１】本発明によるＦＰＣ用コネクタの一実施形態を示す斜視外観図であり、要部を断面としている。
【図２】本発明によるＦＰＣ用コネクタの平面図である。
【図３】本発明によるＦＰＣ用コネクタの正面図である。
【図４】図１においてコンタクトの側面を断面とする縦断面図である。
【図５】図１において板ばねの側面を断面とする縦断面図である。
【図６】図１において支持部材の側面を断面とする縦断面図である。
【図７】本発明によるＦＰＣ用コネクタにおけるカバーハウジングが９０度開いた状態での斜視外観図であり、要部を断面としている。
【図８】図７においてコンタクトの側面を断面とする縦断面図である。
【図９】図７において板ばねの側面を断面とする縦断面図である。
【図１０】従来技術によるＦＰＣ用コネクタの断面図である。
【図１１】従来技術によるＦＰＣ用コネクタの断面図である。
【図１２】従来技術による別のＦＰＣ用コネクタの断面図である。
【図１３】従来技術による別のＦＰＣ用コネクタの断面図である。
【符号の説明】
【０１２９】
１    ＦＰＣ
２    ハウジング
３    コンタクト
３Ｕ    溝
４    カバーハウジング
５    板ばね
６Ａ・６Ｂ    支持部材
２０    開口部
２１    上面開放凹部
２１Ａ・２１Ｂ        立設壁
２２    差込口
２３    凹部
２３Ａ・２３Ｂ    インデント
２４    矩形溝
３０    水平脚
３１    第１アーム
３１Ａ    接点
３１Ｌ    第１リード部
３２    第２アーム
３２Ａ    枢止部
４１    開閉軸
４１Ａ・４１Ｂ  円柱突起
４２Ａ    水平壁
４２Ｂ    垂直壁
４３Ａ・４３Ｂ    ディテント
５１    圧入アーム
５１Ｌ    第２リード部
５２    弾性アーム
５２Ａ    先端部
５２Ｂ    突起
【図１】
2005158508.tif 000003
【図２】
2005158508.tif 000004
【図３】
2005158508.tif 000005
【図４】
2005158508.tif 000006
【図５】
2005158508.tif 000007
【図６】
2005158508.tif 000008
【図７】
2005158508.tif 000009
【図８】
2005158508.tif 000010
【図９】
2005158508.tif 000011
【図１０】
2005158508.tif 000012
【図１１】
2005158508.tif 000013
【図１２】
2005158508.tif 000014
【図１３】
2005158508.tif 000015